(57)【要約】      （修正有）【課題】末端のユーザーは墓石購入のために墓石案内装置を利用して希望する該墓石をゆっくりとかつ確実に選択することができる墓石の販売システムを提供する。【解決手段】墓石顧客は、墓石販売取扱者に対して、墓石案内庫に登録すべき顧客の墓石の固有情報と該墓石の画像とを、その各異なった種類の墓石毎に送る。これら複数種の墓石の固有情報と画像とを受け取った墓石販売取扱者は、これら固有情報と画像とを墓石案内庫における処理手段へそれぞれ入力する。墓石顧客は、該墓石案内庫において複数の情報が表示される表示手段を選択操作することで希望する墓石購入の参考とする。【選択図】図２
2019204468.tif 000002
【特許請求の範囲】
【請求項１】
墓石取扱販売者のサーバと顧客の購入者の端末とがネットワークに通信可能に接続されたコンピュータシステムを用いて、墓石の構成する部材を分割し組み立てにすることにより１つ１つの部材を軽くして人力でも運搬し設置が出来るようにするミニチュア墓石の販売システムであって、
前記墓石取扱販売者のサーバは、該サーバの記憶手段に記憶されているミニチュア墓石のリストと庭設置場所のリストとを前記顧客の端末からの要求に応じて顧客端末に表示させる表示機能と、
前記表示機能で表示されたサイズが小さく、かつ軽量である墓石のモデルリストと庭先の設置場所でのモデルリストのデータベースとを収納している前記端末において、顧客から購入を希望する墓石形状と庭設置場所を選択させるとともに、選択させた情報を入力できる入力機能と、
前記顧客の端末から前記墓石取扱販売者のサーバに、前記顧客によって選択された墓石形状と庭設置場所に関するデータ及び前記顧客に関する情報を送信させる送信機能と、
前記送信機能において送信された前記墓石形状と庭設置場所に関するデータ及び前記顧客に関する情報を前記記憶手段に記憶する記憶機能と、
前記墓石形状と庭設置場所に関するデータ及び前記顧客に関する情報に基づいて要望・選択された墓石形状と庭設置場所の見本を前記顧客に発送するためのデータ処理を行うデータ処理機能と
前記墓石形状に関するデータに基づいて前記要望・選択された墓石の詳細製作図面と庭設置場所とのデータを墓石製作者に発送するデータ発送機能と
前記墓石形状と庭設置場所に関するデータに基づいて前記要望・選択された墓石形状と庭設置場所の情報を墓石搬送・据付者に発送する発送機能と  を有することを特徴とする軽量組み立て墓石の販売システム。
【請求項２】
前記墓石取扱販売者のサーバにおける記憶手段に記憶されているミニチュア墓石のリストと庭設置場所のリストとのデータを前記端末からの要求に応じて該端末に表示させる表示機能は、地域の種々の墓地、墓石、埋葬方法の選定と、ミニチア墓石の庭設置場所としての庭付きの家でのパーティションと植栽込のセットの位置の決定と、ミニチア墓石形状の大きさとして２〜５パターンの選定と、設置したミニチア墓石に電子的記憶装置、及びバーコード制度の取り付けの有無の決定と、市町村役所への届、又はお寺さんの届の有無の決定、今後の法要日時通知の必要性有無の決定、前記決定と選定を施行する上での使用説明と、解体方法及び組立方法に関する付随情報とを同時に表示できるようにしていることを特徴とする請求項１に記載の軽量組み立て墓石の販売システム。
【請求項３】
前記墓石取扱販売者が墓石を販売するにあたって、顧客の複数の必要情報を墓石案内庫に格納して、前記顧客が前記墓石案内庫を操作して墓石購入の参考とするミニチア墓石と庭設置場所との販売取扱システムにあって、前記墓石取扱販売者は、
前記墓石製作者に対して、前記墓石案内庫に登録すべき墓石取扱販売者の墓石の固有情報と該墓石の画像とを、その各異種類の詳細な墓石毎に送り、これら複数種の墓石の固有情報と画像とを受け取った前記墓石製作者は、
前記墓石案内庫に登録すべき墓石製作者の墓石の固有情報をデータ入力シートに記入し、このデータ入力シートに対応する該墓石の画像を記憶媒体に入力して、これら各異種類の墓石毎に前記データ入力シートと記憶媒体とを墓石製作者に対して送り、これら複数種の墓石の固有情報と画像とが保存されている前記データ入力シートと記憶媒体とを受け取った墓石製作者は、これら墓石製作する固有情報と画像とを入力して、前記墓石案内庫における処理手段の情報格納手段へそれぞれ出力して製作に入り、
前記顧客は、墓石取扱販売者で処理して提示した前記墓石製作者が製作した墓石と庭設置場所の情報を該墓石案内庫において表示される表示手段を操作することによって、希望する墓石購入における価格と納期と庭設置場所との情報を入手することを特徴とする請求項１、又は請求項２に記載の軽量組み立て墓石の販売システム。
【請求項４】
前記墓石取扱販売者は、墓石製作者の墓石の固有情報と軽量組み立て墓石を含む墓石の画像とを、あらかじめ、墓石案内庫への情報格納手段へ入力して格納した後、前記情報格納手段を墓石案内庫に電子的記憶装置、及びバーコード制度と連携システムを取り付けて、電子的記憶装置には仏儀式に必要な仏様の名前、没年齢、生前名、法要時期の記録と生前の記録も収納した機器内の情報と、バーコード制度では墓石の形式と種類と設置年月日の情報を登録できるようにして、設置後の法要の有無、墓じまいまでお付き合いに関する情報を取り扱いできるようになっていることを特徴とする請求項１〜請求項３のいずれかに記載の軽量組み立て墓石の販売システム。
【請求項５】
前記軽量組み立て墓石は、墓碑を蓋兼用台石に載せて、前記台石の下部に納骨室を設けて、各段には骨壺２個以上を収納できるスペースを持った立方体の石室であって、蓋兼用台石に墓碑石材を主体にして、墓碑の前面に香炉と水鉢・花立を置くスペースの台になり、立方体形の石室は、各組み立て石材部品をそれぞれ１０ｋｇ以下の重量にして、前記軽量組み立て墓石は、石材としてすべて同一のものであり、赤、黒又は白を帯びた渋色の花崗岩である御影石で、全体の重量として６０ｋｇ以下であることを特徴とする請求項１〜請求項５のいずれかに記載の軽量組み立て墓石の販売システム。
【請求項６】
設置場所のリストは、庭先の庭設置場所での樹木、花壇、ジャリ、芝生の配置、及びパーティションの形状、位置の組み合わせ５〜１０模範例を提示し、それより選択できるようになっていることを特徴とする請求項１〜請求項５のいずれかに記載の軽量組み立て墓石の販売システム。
【発明の詳細な説明】
【技術分野】
【０００１】本発明は、末端のユーザーが簡単にかつ安心して組み立て容易であるミニチア墓石を据付する目安とすることができ、しかも身近な場所に設置できるような軽量的組み立て墓石の販売システムに関する。
【背景技術】
【０００２】従来、末端のユーザーが墓石を購入することは、日常生活の中で滅多にないことであって、情報の取得が乏しく、その購入のために希望する墓石をゆっくりとかつ確実に選択することは、甚だ困難なことで、その多くは、墓石販売者の意見にゆだねることがほとんどであった。【０００２】従来の墓石は石材を積み重ねた物である。その石材は重く人力では運搬したり組み立てたりできなかった。なぜなら小さな７寸墓でも一番重たい部材はゆうに１００ｋｇを越しています。その為に輸送においても、設置作業においても運搬機械やチェーンブロックやクレーンを用いて技術者の作業が必要である。よってその現場に応じて見積もりを行い施工している。【０００３】ネットワーク上に構築された仮想環境上において、仮想環境上にアクセスすることを許されるユーザーを仮想環境上に登録するとともに、仮想環境上で取り扱う情報を仮想環境上に登録し、情報をアイコン化して、アイコン自体をネットワーク上に流通させ、登録されたユーザーごとに必要となる情報を示すアイコンの登録・削除を動的に行うことができるユーザー固有の編集可能環境を提供する方法が提案されている（特許文献１参照）。【０００４】墓石販売主は、販売システムの構築者に対して、墓石案内装置に登録すべき墓石販売主の墓石の固有情報と該墓石の画像とを、その各異なった種類の墓石毎に送り、これら複数種の墓石の固有情報と画像とを受け取った販売システム構築者は、これら固有情報と画像とを墓石案内装置における処理手段へそれぞれ入力して、墓石買い主は、該墓石案内装置において複数の情報が表示される表示手段を選択操作することで希望する墓石購入の参考とする方法が提案されている（特許文献２参照）。【０００５】店舗数を増やすことなく墓石の販売を実現することができる墓石の販売システムで、サーバが、記憶装置に記憶されているミニチュア墓石のリストを端末からの要求に応じて該端末に表示させる。表示されたミニチュア墓石のリストから端末において購入を希望するミニチュア墓石が選択された場合に、端末からサーバに、購入者によって選択されたミニチュア墓石に関するデータ及び購入者に関する情報をデータ送信させ、選択されたミニチュア墓石の見本を購入者の受取人に発送する方法が提案されている（特許文献３参照）。【０００６】従来の墓石は、材料の石が重たい為に殆ど１人で持てず輸送や設置に多数の人力や機械が必要とするため専門の技術者が運搬や施工をします。その為に現場に応じた見積もりが必要で、その現場しだいで価格が違い高額の費用が掛かるという問題があり、通信販売やインターネット販売が難しかった。そのために墓石の構成する部材を分割し組み立てにすることにより１つ１つの部材を軽くして消費者が人力でも運搬し設置が出来るようにすることにより設置作業の見積もりや高額な設置費を解消し通信販売やインターネット販売を可能にする方法が提案されている（特許文献４参照）。【０００７】事業情報の伝達が手間少なく迅速に行われるようになし、また墓石関連商品の生産迅速化やコスト低減化を図り、墓石関連商品のさらなる販売促進を達成する。またフランチャイジー及び石材販売業者（小売店）の仕入管理業務についての負担を軽減させる方法が提案である（特許文献５参照）。【０００８】顧客が簡単かつ安心して組み立て容易であるミニチア墓石を購入する目安とすることができ、しかも身近な場所に設置できるような軽量組み立て墓石の販売システムは見出されていない。
【先行技術文献】
【特許文献】
【０００９】
【特許文献１】特開２００１−１９５４９５号公報
【特許文献２】特開２００２−１２３７１０号公報
【特許文献３】特開２００８−３３４００号公報
【特許文献４】特開２００９−２１１６７５号公報
【特許文献５】特開２００４−３４８３３６号公報
【発明の概要】
【発明が解決しようとする課題】
【００１０】本発明は前記した問題点を解決するためになされたもので、墓石販売主は、販売システムの構築者に対して、墓石案内装置に登録すべき墓石販売主の墓石の固有情報と該墓石の画像とを、その各異なった種類の墓石毎に送り、これら複数種の墓石の固有情報と画像とを受け取った販売システム構築者は、これら固有情報と画像とを墓石案内装置における処理手段へそれぞれ入力して、墓石買い主は、該墓石案内装置において複数の情報が表示される表示手段を選択操作することで希望する墓石購入の参考とすることにより、末端の顧客は墓石購入のために墓石案内装置を利用して希望する該墓石をゆっくり、かつ確実に選択することができる墓石の販売システムを提供することを目的とする。【００１１】墓石を構成する石材の重量を軽くして消費者が人力でも運搬や組み立てが出来るようにすることにより自宅の庭の身近な場所に設置する作業の見積もりと専門技術者の施工を無くし組み立て、設置できるような通信販売やインターネット販売を可能にする販売システムが求められている。また最近の状況から、お寺さんの役目が薄れており、また住居も勤務状況によって移転して、故人を偲ぶ墓地が遠方になり、故人を弔う機会が少なくなってきている。そのためお寺さんの役目も果たし、さらに故人を偲ぶことができる簡単な墓石の設置が期待されている。これらの目的を果たすような墓石を簡単に、迅速に提供することにある。
【課題を解決するための手段】
【００１２】  墓石取扱販売者のサーバと顧客の購入者の端末とがネットワークに通信可能に接続されたコンピュータシステムを用いて、墓石の構成する部材を分割し組み立てにすることにより１つ１つの部材を軽くして人力でも運搬し設置が出来るようにするミニチュア墓石の販売システムであって、
前記墓石取扱販売者のサーバは、該サーバの記憶手段に記憶されているミニチュア墓石のリストと設置場所のリストとを前記顧客の端末からの要求に応じて顧客端末に表示させる表示機能と、
前記表示機能で表示されたサイズが小さく、かつ軽量である墓石のモデルリストと庭先の設置場所でのモデルリストのデータベースとを収納している前記端末において、顧客から購入を希望する墓石形状と設置場所を選択させるとともに、選択させた情報を入力できる入力機能と、
前記顧客の端末から前記墓石取扱販売者のサーバに、前記顧客によって選択された墓石形状と設置場所に関するデータ及び前記顧客に関する情報を送信させる送信機能と、
前記送信機能において送信された前記墓石形状と設置場所に関するデータ及び前記顧客に関する情報を前記記憶手段に記憶する記憶機能と、
前記墓石形状と設置場所に関するデータ及び前記顧客に関する情報に基づいて要望・選択された墓石形状と設置場所の見本を前記顧客に発送するためのデータ処理を行うデータ処理機能と
前記墓石形状に関するデータに基づいて前記要望・選択された墓石の詳細製作図面と設置場所とのデータを墓石製作者に発送するデータ発送機能と
前記墓石形状と設置場所に関するデータに基づいて前記要望・選択された墓石形状と設置場所の情報を墓石搬送・据付者に発送する発送機能とを有する。【００１３】前記墓石取扱販売者のサーバにおける記憶手段に記憶されているミニチュア墓石のリストと設置場所のリストとのデータを前記端末からの要求に応じて該端末に表示させる表示機能は、地域の種々の墓地、墓石、埋葬方法の選定と、ミニチア墓石の設置場所としての庭付きの家でのパーティションと植栽込のセットの位置の決定と、ミニチア墓石形状の大きさとして２〜５パターンの選定と、設置したミニチア墓石に電子的記憶装置、及びバーコード制度の取り付けの有無の決定と、市町村役所への届、又はお寺さんの届の有無の決定、今後の法要日時通知の必要性有無の決定、前記決定と選定を施行する上での使用説明と、解体方法及び組立方法に関する付随情報とを同時に表示できるようにしている。【００１４】前記墓石取扱販売者が墓石を販売するにあたって、顧客の複数の必要情報を墓石案内庫に格納して、前記顧客が前記墓石案内庫を操作して墓石購入の参考とするミニチア墓石と設置場所との販売取扱システムにあって、前記墓石取扱販売者は、
前記墓石製作者に対して、前記墓石案内庫に登録すべき墓石取扱販売者の墓石の固有情報と該墓石の画像とを、その各異種類の詳細な墓石毎に送り、これら複数種の墓石の固有情報と画像とを受け取った前記墓石製作者は、
前記墓石案内庫に登録すべき墓石製作者の墓石の固有情報をデータ入力シートに記入し、このデータ入力シートに対応する該墓石の画像を記憶媒体に入力して、これら各異種類の墓石毎に前記データ入力シートと記憶媒体とを墓石製作者に対して送り、これら複数種の墓石の固有情報と画像とが保存されている前記データ入力シートと記憶媒体とを受け取った墓石製作者は、これら墓石製作する固有情報と画像とを入力して、前記墓石案内庫における処理手段の情報格納手段へそれぞれ出力して製作に入り、
前記顧客は、墓石取扱販売者で処理して提示した前記墓石製作者製作の墓石と設置場所の情報を該墓石案内庫において表示される表示手段を操作することによって、希望する墓石購入における価格と納期と設置場所との情報を入手する。【００１５】前記墓石取扱販売者は、墓石製作者の墓石の固有情報と軽量組み立て墓石を含む墓石の画像とを、あらかじめ、墓石案内庫への情報格納手段へ入力して格納した後、前記情報格納手段を墓石案内庫に電子的記憶装置、及びバーコード制度と連携システムを取り付けて、電子的記憶装置には仏儀式に必要な仏様の名前、没年齢、生前名、法要時期の記録と生前の記録も収納した機器内の情報と、バーコード制度では墓石の形式と種類と設置年月日の情報を登録できるようにして、設置後の法要の有無、墓じまいまでお付き合いに関する情報を取り扱いできるようになっている。【００１６】前記軽量組み立て墓石は、墓碑を蓋兼用台石に載せて、前記台石の下部に納骨室を設けて、各段には骨壺２個以上を収納できるスペースを持った立方体の石室であって、蓋兼用台石に墓碑石材を主体にして、墓碑の前面に香炉と水鉢・花立を置くスペースの台になり、立方体形の石室は、各組み立て石材部品をそれぞれ２０ｋｇ以下の重量にして、前記軽量組み立て墓石は、石材としてすべて同一のものであり、赤、黒又は白を帯びた渋色の花崗岩である御影石で、全体の重量として１００ｋｇ以下である。【００１７】
【発明の効果】
【００１８】本発明は、墓石買い主顧客は、墓石案内庫において複数の情報が表示される表示手段を選択操作することで希望する墓石購入の参考とするもので、該墓石買い主にあって、墓石の購入のために、希望する該墓石をゆっくりとかつ確実に選択することができる特有な効果を奏するものである。顧客が簡単かつ安心して組み立て容易であるミニチア墓石を購入する目安とすることができ、しかも身近な場所に設置できるような軽量組み立て墓石の販売システムである。【００１９】墓石を構成する部材を組み立て式にすることにより、人力で運搬可能なので受け取り側に重機がなくとも宅配業者に輸送を依頼できる。そして一般消費者でも人力で運搬し組み立てられる。よって通信販売やインターネット販売できる。身近の場所に設置した軽量組み立て墓石でお参りできるようになって、故人を偲ぶ機会を多くできるようなシステムができるようになる。【００２０】前記情報格納手段を墓石案内庫に電子的記憶装置、及びバーコード制度と連携システムを取り付けているために、仏儀式に必要な仏様の名前、没年齢、生前名、法要時期の記録と生前の記録も収納した電子的記憶装置には機器内の情報を得られ、またバーコード制度の採用によって墓石の形式と種類と設置年月日を登録できるようにして、設置後の法要の有無、墓じまいまでお付き合いができるようになる。
【図面の簡単な説明】
【００２１】
【図１】軽量組み立て墓石の販売システムの関係者関連の系統図
【図２】墓石販売取扱者との関連システムにおける役割の図
【図３】墓石販売取扱者における墓石設計ファイルの図
【図４】墓石販売取扱者における墓石設計ツールの図
【図５】墓石販売取扱者における墓石受注・製作・据付システムでの手順の図
【図６】墓石の設置場所と方法を決定する図
【図７】墓石案内庫に電子的記憶装置、及びバーコード制度と連携システムの関係図
【図８】軽量組み立て墓石の販売システムにて使用する墓石の一例の図
【図９】軽量組み立て墓石の販売システムにて設置による墓石の一例の図
【発明を実施するための形態】
【００２２】前記販売システム構築者が墓石を販売するにあたって、末端のユーザーが簡単かつ安心して組み立て容易であるミニチア墓石を購入する目安とすることができ、しかも身近な場所に設置できるような軽量組み立て墓石の販売システムを提供する。
【実施例】
【００２３】図１に示すように前記した目的を達成するための本発明の手段は、墓石販売主が墓石を販売するにあたって、墓石買い主の複数の必要情報を墓石案内装置に格納して、前記墓石買い主顧客が前記墓石案内装置を操作して墓石購入の参考とする墓石の販売システムにあって、前記墓石販売主である墓石販売取扱者は、前記販売システムの構築者に対して、前記墓石案内装置に登録すべき墓石販売主である墓石販売取扱者の墓石の固有情報と該墓石の画像とを、その各異なった種類の墓石毎に送り、これら複数種の墓石の固有情報と画像とを受け取った前記墓石販売取扱者は、これら固有情報と画像とを前記墓石案内装置における処理手段へそれぞれ入力して、前記墓石買い主の顧客は、該墓石案内装置において複数の情報が表示される表示手段を選択操作することで希望するミニチア墓石購入と家庭内庭への据付に関する参考とする墓石の販売システムにある。【００２４】墓石販売取扱者が墓石を販売するにあたって、墓石買い主である顧客の複数の必要情報を墓石案内装置であるサーバに格納して、前記墓石買い主の顧客が前記墓石案内装置であるサーバを操作して墓石購入と設置場所の参考とする墓石の販売システムにあって、前記墓石販売取扱者は、前記墓石案内装置であるサーバに登録すべき墓石販売取扱者は種々の墓石の固有情報をデータ入力シートに記入し、かつ、このデータ入力シートに対応する該墓石の画像を記憶媒体に入力して、これら各異なった種類の墓石毎に前記データ入力シートと記憶媒体とを前記販売システムの構築者である墓石販売取扱者に対して送り、これら複数種の墓石の固有情報と画像とが保存されている前記データ入力シートと記憶媒体とを受け取った前記墓石販売取扱者は、これら固有情報と画像とを前記墓石案内装置であるサーバにおける処理手段の情報格納手段へそれぞれ入力して、前記墓石買い主である顧客は、該墓石案内装置であるサーバにおいて複数の情報が表示される表示手段を選択操作することで希望する墓石購入と墓石設置据付の参考とする墓石の販売システムである。【００２６】また、墓石販売取扱者は、種々の墓石情報をもつ墓石の固有情報と該墓石の画像とを、あらかじめ、情報格納手段へ入力して格納した後、この情報格納手段を墓石案内装置であるサーバへ取り付ける。【００２７】次に、この発明に関する墓石の販売システムの実施の一例を図１に基づいて説明する。図１においては墓石の販売システムで、顧客と、墓石販売取扱者と、墓石製作者との関連を示したものであるが、墓石販売取扱者が墓石を販売するにあたって、顧客の複数の必要情報を、独自に所持している該墓石サーバに格納して、前記顧客の墓石買い主自身が墓石販売取扱者の前記墓石サーバに連絡して、それを操作して検索し、墓石購入における参考とすることができる。
図３において、墓石案内装置である墓石サーバはいわゆるウェブサーバ用コンピュータであり、制御装置・演算装置（ＣＰＵ）、主記憶装置（メモリ）、補助記憶装置（ハードディスク等）、入力装置（キーボード、マウス等）、出力装置（モニタ、プリンタ等）、ＮＩＣ（Ｎｅｔｗｏｒｋ  Ｉｎｔｅｒｆａｃｅ  Ｃａｒｄ）やルータ等の通信機器等を備え、ＡＤＳＬや光ファイバ等の通信回線を介してインターネットＮに接続され、ＨＴＴＰ（ＨｙｐｅｒＴｅｘｔ  Ｔｒａｎｓｆｅｒ  Ｐｒｏｔｏｃｏｌ）等によりインターネット上にウェブページを有している。また、サーバにおける補助記憶装置（ハードディスク等）には、墓石、設置場所の種別データ、ソフトウェアである墓石の選定処理手段が記憶されている。【００２８】  本墓石設計システムにおいて、各ウェブページは、ＨＴＭＬ（ＨｙｐｅｒＴｅｘｔ  Ｍａｒｋｕｐ  Ｌａｎｇｕａｇｅ）、ＣＨＴＭＬ（Ｃｏｍｐａｃｔ  ＨＴＭＬ）、ＨＤＭＬ（Ｈａｎｄｈｅｌｄ  Ｄｅｖｉｃｅ  Ｍａｒｋｕｐ  Ｌａｎｇｕａｇｅ）、ＸＭＬ（ｅＸｔｅｎｓｉｂｌｅ  Ｍａｒｋｕｐ  Ｌａｎｇｕａｇｅ）、ＸＨＴＭＬ（ｅＸｔｅｎｓｉｂｌｅ  ＨｙｐｅｒＴｅｘｔ  Ｍａｒｋｕｐ  Ｌａｎｇｕａｇｅ）等によって構成すればよく、特にウェブページ記述言語の種類の限定はされない。また、墓石の選定処理手段は、ＰＨＰ（Ｐｅｒｓｏｎａｌ  Ｈｏｍｅ  Ｐａｇｅ）、ＣＧＩ（Ｃｏｍｍｏｎ  Ｇａｔｅｗａｙ  Ｉｎｔｅｒｆａｃｅ）又はＪａｖａ等によって構成される。【００２９】  墓石設計システムにおける携帯端末としては、一般需要者が容易に携帯可能で且つインターネット、スマホ、タブレットに接続してウェブページを閲覧することが可能（サーバとの間でＨＴＴＰ等によりデータの送受信が可能）であれば特に制限されず、ＰＤＡ（Ｐｅｒｓｏｎａｌ  Ｄｉｇｉｔａｌ  ａｓｓｉｓｔａｎｔｓ）等の携帯端末であってもよいが、利便性や普及率等からウェブ閲覧機能付きの携帯電話、スマホであることが最も効果的且つ有用な態様である。【００３０】その構成は、例えば、情報格納手段を墓石案内装置である墓石サーバ本体内に設けられた、中央演算処理手段（ＣＰＵ）と記憶手段（メモリ）と制御手段（チップセット）とからなる処理手段と、本体サーバの外部に露出する表示手段により基本的に構成される。なお、この墓石案内装置のサーバは、慣用のコンピュータを利用することができるものであり、必要に応じて前記検索回答を印刷するプリンタを接続あるいは本体内へ内蔵することもできる。また、記憶手段に接続される記憶媒体である情報格納手段は、所定の格納容量を有していて、墓石サーバ本体に対して着脱自在に設けることもできる。そして、この処理手段における記憶手段には、情報格納手段を介して墓石販売主の複数種類にわたる墓石の固有情報と該墓石の画像とが多数入力されている。【００３１】これら墓石の固有情報と画像とは、顧客から墓石販売取扱者へシステム構築のために送られてくるもので、このうち、墓石の固有情報は、墓石の価格や寸法，形状，石，宗派、更には、当該墓石に対するコメントや墓石の写真番号などが記入される。なお、このデータ入力シートは、パソコン等を使用してＣＤ−ＲＯＭ（ＣＤ−Ｒ）等の記録媒体に格納さ��たものでも構わない。【００３２】図６に示すように前記墓石取扱販売者のサーバにおける記憶手段に記憶されているミニチュア墓石のリストと庭設置場所のリストとのデータを前記端末からの要求に応じて該端末に表示させる表示機能は、地域の種々の墓地、墓石、埋葬方法の選定と、ミニチア墓石の庭設置場所としての庭付きの家でのパーティションと植栽込のセットの位置の決定と、ミニチア墓石形状の大きさとして２〜５パターンの選定と、設置したミニチア墓石に図７の電子的記憶装置、及びバーコード制度の取り付けの有無の決定と、市町村役所への届、又はお寺さん関係箇所への届の有無の決定、今後の法要日時通知の必要性有無の決定、前記決定と選定を施行する上での使用説明と、解体方法及び組立方法に関する付随情報とを同時に表示できるようにしている。【００３３】前記墓石取扱販売者が墓石を販売するにあたって、顧客の複数の必要情報を墓石案内庫に格納して、前記顧客が前記墓石案内庫を操作して墓石購入の参考とするミニチア墓石と庭設置場所との販売取扱システムにあって、前記墓石取扱販売者は、前記墓石製作者に対して、前記墓石案内庫に登録すべき墓石取扱販売者の墓石の固有情報と該墓石の画像とを、その各異種類の詳細な墓石毎に送り、これら複数種の墓石の固有情報と画像とを受け取った前記墓石製作者は、前記墓石案内庫に登録すべき墓石製作者の墓石の固有情報をデータ入力シートに記入し、このデータ入力シートに対応する該墓石の画像を記憶媒体に入力して、これら各異種類の墓石毎に前記データ入力シートと記憶媒体とを墓石製作者に対して送り、これら複数種の墓石の固有情報と画像とが保存されている前記データ入力シートと記憶媒体とを受け取った墓石製作者は、これら墓石製作する固有情報と画像とを入力して、前記墓石案内庫における処理手段の情報格納手段へそれぞれ出力して製作に入る。前記顧客は、墓石取扱販売者で処理して提示した前記墓石製作者が製作した墓石と庭設置場所の情報を該墓石案内庫において表示される表示手段を操作することによって、希望する墓石購入における価格と納期と庭設置場所との情報を入手する。【００３４】図７に示すように、前記墓石取扱販売者は、墓石製作者の墓石の固有情報と軽量組み立て墓石を含む墓石の画像とを、あらかじめ、墓石案内庫への情報格納手段へ入力して格納した後、前記情報格納手段を墓石案内庫に電子的記憶装置、及びバーコード制度と連携システムを取り付けて、電子的記憶装置には仏儀式に必要な仏様の名前、没年齢、生前名、法要時期の記録と生前の記録も収納した機器内の情報と、バーコード制度では墓石の形式と種類と設置年月日の情報を登録できるようにして、設置後の法要の有無、墓じまいまでお付き合いに関する情報を取り扱いできるようになっている。【００３５】前記軽量組み立て墓石は、墓碑を蓋兼用台石に載せて、前記台石の下部に納骨室を設けて、各段には骨壺２個以上を収納できるスペースを持った立方体の石室であって、蓋兼用台石に墓碑石材を主体にして、墓碑の前面に香炉と水鉢・花立を置くスペースの台になり、立方体形の石室は、各組み立て石材部品をそれぞれ１０ｋｇ以下の重量にして、前記軽量組み立て墓石は、石材としてすべて同一のも��であり、赤、黒又は白を帯びた渋色の花崗岩である御影石で、全体の重量として６０ｋｇ以下である。【００３６】設置場所のリストは、庭先の庭設置場所での樹木、花壇、ジャリ、芝生の配置、及びパーティションの形状、位置の組み合わせ５〜１０模範例を提示し、それより選択できるようになっている。【００３７】また、前記した墓石の画像は、カメラにより撮影された写真をデジタル化して画像ファイルとし、パソコン等を使用してディスクやＣＤ−ＲＯＭの記録媒体に格納したり、あるいは、写真におけるネガや写真そのものをそのまま記録媒体とするものであるが、作業性や正確性等を勘案すれば、前者のデジタル記録媒体が好ましい。なお、写真における記録媒体とする場合には、墓石販売取扱者にあっては、パソコン等を使用してスキャナー等を経由し、デジタル記録された画像ファイルとする。更に、その画像ファイル名は、前記したデータ入力シートにおける墓石の写真番号と符合するように設定される。【００３８】前記したように構成される墓石の販売システムは、以下に述べる作用を奏する。
まず、墓石販売主である墓石販売取扱者は、データ入力シートへ、墓石案内装置である墓石サーバに登録すべき販売し得るそれぞれの種類の墓石に対して、該墓石の固有情報を記入する。また、前記したデータ入力シートに対応する、該墓石の画像はパソコン等を使用してＣＤ−ＲＯＭ等の記憶媒体に入力する。【００３９】図４に示すように墓石販売取扱者におけるこれらの顧客からのデータ入力シートと記憶媒体との作成作業は、それぞれ各異なった種類の墓石毎に行われるもので、こうして用意されたそれぞれ各異なった種類の墓石毎のデータ入力シートと記憶媒体とは墓石販売取扱者に対して送付される。それを墓石製作者に転送する。
【図１】
2019204468.tif 000003
【図２】
2019204468.tif 000004
【図３】
2019204468.tif 000005
【図４】
2019204468.tif 000006
【図５】
2019204468.tif 000007
【図６】
2019204468.tif 000008
【図７】
2019204468.tif 000009
【図８】
2019204468.tif 000010
【図９】
2019204468.tif 000011